(57)【要約】【課題】家電製品の安全な使用を実現し、電気コードの誤使用を規制し、優れた装飾効果を有する保護具、及び、これを用いた電気機械器具を提供する。【解決手段】基体部１１と、貫通孔１２とを有し、電気機械器具の電気コード３０を保護するために用いられる保護具であって、基体部１１は、有機材料で構成されている。貫通孔１２は、横断面でみて電気コード３０の断面形状とは異なる孔形状を有し、基体部１１を貫通している。保護具１は、電気コード３０と組み合わせて用いられる。本発明に係る電気機械器具を構成する保護具１は、貫通孔１２に電気コード３０が挿通され、且、挿通された状態で電気コード３０の周囲に隙間４が形成されている。【選択図】図４
2012060808.tif 000002
【特許請求の範囲】
【請求項１】
基体部と、貫通孔とを有し、電気機械器具の電気コードを保護するために用いられる保護具であって、
前記基体部は、有機材料で構成されており、
前記貫通孔は、横断面でみて電気コードの断面形状とは異なる孔形状を有し、前記基体部を貫通している、
保護具。
【請求項２】
電気コードと、保護具とを含む電気機械器具であって
前記保護具は、請求項１に記載されたものでなり、前記貫通孔に前記電気コードが挿通され、且、前記挿通された状態で前記電気コードの周囲に隙間が形成されている、
電気機械器具。
【請求項３】
請求項２に記載された電気機械器具であって、
前記保護具は、複数が、前記電気コードの全長にわたって連続して取り付けられている、
電気機械器具。
【請求項４】
請求項２又は３に記載された電気機械器具であって、さらにプラグ保護部材を含み、
前記電気コードは、長手方向でみたコード部の一端に差込プラグ部を有しており、
前記プラグ保護部材は、第２の基体部と、開口部とを有しており、
前記第２の基体部は、内部に前記差込プラグ部を収納するための収納空間を有しており、
前記開口部は、前記第２の基体部の一面において、前記収納空間に開口しており、
前記差込プラグ部は、前記収納空間に収納され、収納された状態で、先端面が前記開口部の開口端縁から凹段状に後退している、
電気機械器具。
【発明の詳細な説明】
【技術分野】
【０００１】
本発明は、保護具、及び、これを用いた電気機械器具に関し、具体的には家庭用電気機械器具に備えられている電気コードの損傷又は破断を防止するために用いられる保護具に関する。
【背景技術】
【０００２】
現在、多種多様な家庭用電気機械器具（家電製品）の普及に伴い、一般家庭の床面上には、各種家電製品と、電源コンセントとを接続する電気コードが、剥き出しのまま、大量に引き回されている。通常、この種の電気コードは、家電製品の設置場所から電源コンセントまでの距離を考慮し、予め長めに設定されているから、剥き出しのまま放置されると、床面の美観が損なわれる不具合が生じる。前記不具合を解決する従来技術として、例えば、特許文献１には、電気コードの中間部分を折り畳んで長さを調節した場合に生じる束を収容する電気コード用室内アクセサリーが開示されている。
【０００３】
ところで、近年、電気コードの誤使用を発火原因とする出火件数の増加が注目されている。すなわち、家電製品の普及によって、剥き出しのまま床面上に放置される電気コードが増えた分だけ、電気コードが、椅子や箪笥など家具の下敷きにされたり、鋭角に曲げられる等の不適切な使われ方をされる危険が高まる。この電気コードの誤使用によって、電気コード内部の導線が損傷又は破断（破損）された場合、破損箇所が異常発熱して焼損し、最悪の場合には発火にいたることとなる。また、誤使用による導線の破損によって、家電製品本体内の電子部品が誤作動し、発火する事例も確認されている。
【０００４】
上述した電気コードの誤使用による発火の問題に対して、特許文献１では解決することができない。例えば、特許文献１の開示内容では、電気コードは、中間部分で束ねられるから、該束ねた箇所の導線が破損する危険がある。また、電気コードは、適正に使用されている場合でも多少発熱しているところ、束ねられると放熱の効率が低下し、発火にいたる危険がある。
【０００５】
そもそも、特許文献１の電気コード用室内アクセサリーは、電気コードの長さを調節するために用いられるものであって、その用途上、電気コードを全長にわたって収納することはできないから、収納されずに容器外に残されている部分では、依然として誤使用の危険が生じる。
【先行技術文献】
【特許文献】
【０００６】
【特許文献１】実開平０７−００１８１８号公報
【発明の概要】
【発明が解決しようとする課題】
【０００７】
本発明の課題は、家電製品の安全な使用を実現する保護具、及び、これを用いた電気機械器具を提供することである。
【０００８】
本発明のもう１つの課題は、電気コードの誤使用を規制しうる保護具、及び、これを用いた電気機械器具を提供することである。
【０００９】
本発明の更にもう１つの課題は、優れた装飾効果を有する保護具、及び、これを用いた電気機械器具を提供することである。
【課題を解決するための手段】
【００１０】
上述した課題を解決するため、本発明に係る保護具は、基体部と、貫通孔とを有している。基体部は、有機材料で構成されている。貫通孔は、横断面でみて電気コードの断面形状とは異なる孔形状を有し、基体部を貫通している。
【００１１】
本発明に係る保護具は、電気機械器具の電気コードを保護するために用いられるものであって、電気コードと組み合わせて用いられる。本発明に係る電気機械器具において、保護具は、貫通孔に電気コードが挿通され、挿通された状態で、電気コードの周囲に隙間が形成されている。
【００１２】
上述したように、本発明に係る電気機械器具を構成する保護具において、貫通孔は基体部を貫通しているから、電気コードを挿通することができる。従って、電気コードが貫通孔に挿通されている状態で、該挿入されている部分の電気コードを、外部からの押し圧力や物理的な衝撃、折り曲げ等から保護し、電気コードの誤使用を規制することができる。
【００１３】
また、保護具の貫通孔は、横断面でみて電気コードの断面形状とは異なる孔形状を有し、貫通孔に電気コードが挿通された状態で、電気コードの周囲に隙間が形成されている。この構成によると、使用時に電気コードから生じる熱が、隙間を通じて効率よく排熱される。従って、家電製品の安全な使用を実現することができる。
【００１４】
本発明に係る電気機械器具を構成する保護具は、貫通孔に電気コードを挿通して用いられるものであるから、基体部の外形形状、模様、色彩などは適宜設定することが可能である。特に、基体部が有機材料で構成されていることにより、外形形状、模様、色彩などのバリエーション展開が容易である。従って、上述した電気コードの保護効果に加えて、優れた装飾効果を奏することができる。
【発明の効果】
【００１５】
以上述べたように、本発明によれば、次のような効果を得ることができる。
（１）家電製品の安全な使用を実現する保護具、及び、これを用いた電気機械器具を提供することができる。
（２）電気コードの誤使用を規制しうる保護具、及び、これを用いた電気機械器具を提供することができる。
（３）優れた装飾効果を有する保護具、及び、これを用いた電気機械器具を提供することができる。
【００１６】
本発明の他の目的、構成及び利点については、添付図面を参照し、更に詳しく説明する。添付図面は、単に、例示に過ぎない。
【図面の簡単な説明】
【００１７】
【図１】本発明の一実施形態に係る保護具の斜視図である。
【図２】本発明の一実施形態に係る電気機械器具について一部を省略して示す平面図である。
【図３】図２の電気機械器具について一部を破断して示す平面断面図である。
【図４】図２の４−４線に沿った断面図である。
【図５】図２の電気機械器具について一部を取り出して示す斜視図である。
【図６】図２の電気機械器具の使用状態について一部を破断して示す平面断面図である。
【図７】本発明のもう一つの実施形態に係る電気機械器具の断面図である。
【図８】本発明のもう一つの実施形態に係る保護具の断面図である。
【図９】本発明の更にもう一つの実施形態に係る電気機械器具の平面図である。
【発明を実施するための形態】
【００１８】
図１乃至９において同一符号は、同一又は対応部分を示すものとする。また、図１乃至９の説明において、電気コードを構成するコード部の長手方向と、このコード部が相通される貫通孔の貫通方向とは一致するから、全て符号Ｌに統一して示す。
【００１９】
図１の保護具は、電気コードを、損傷及び破断（破損）から保護するために用いられるものであって、基体部１１と、貫通孔１２とを有している。
【００２０】
基体部１１は、有機材料で構成されている。図１の基体部１１は、球状であって、プラスチックにより構成されている。もっとも、基体部１１の構成材料は、耐熱性、耐衝撃性、耐腐食性、絶縁性、材料コスト等の観点から適宜決定することが可能であり、例えば、天然樹脂材料や、合成樹脂材料のほか、堅固な木材などを用いることができる。また、基体部１１は、表面に色彩又は模様を付すため、合成樹脂材料に染料や顔料及び蓄光顔料を混合して成形すること、表面に薄膜層を形成することができる。
【００２１】
貫通孔１２は、基体部１１を貫通している。図１の貫通孔１２は、基体部１１を構成する球の中心又は重心を通り、基体部１１を直径に沿って直線状に貫通し、貫通方向Ｌの両端において外面１３に開口している。貫通孔１２は、貫通方向Ｌに垂直に交わる面で切断した場合に現れる断面（横断面）でみて、内面１４によって画定される開孔形状を有し、向かい合う内面１４の間に差し渡し寸法（内寸法）Ｄ１を有している。貫通孔１２の開孔形状が円形の場合、内寸法Ｄ１は、当該円の直径と一致する。
【００２２】
貫通孔１２には、図示しない電気コードが挿通される。貫通孔１２は、断面でみて電気コードの断面形状とは異なる開孔形状に予め設定され、電気コードが挿通された状態で、断面形状差に基づき、内面１４と電気コードの外面との間に隙間が形成されるように形成される。すなわち、貫通孔１２の開孔形状、及び、内寸法Ｄ１は、電気コードの断面形状、及び、電気コードの外面でみた差し渡し寸法（外寸法）との相対関係によって決定される。
【００２３】
貫通孔１２は、基体部１１が合成樹脂材料で構成されている場合、まず、基体部１１の割れや欠けを防止するため錐やドリルなどの切削道具によって直径の両側から穿孔し、小径の貫通孔を穿孔し、次に、大径の切削道具を用いて径を適宜拡張することにより、形成される。
【００２４】
図２は本発明の一実施形態に係る電気機械器具について一部を省略して示す平面図、図３は図２の電気機械器具について一部を破断して示す平面断面図である。また、図４は図２の４−４線に沿った断面図、図５は図２の電気機械器具について一部を取り出して示す斜視図、図６は図２の電気機械器具の使用状態について一部を破断して示す平面断面図である。
【００２５】
図２及び図３の電気機械器具は、ドライヤー、テレビ、扇風機等の家庭用電気機械器具（家電製品）であって、保護具１と、製品本体部３と、電気コード３０とを含む。
【００２６】
電気コード３０は、建物の床面や壁面などに予め取り付けられているプラグソケット（電源コンセント）と、製品本体部３とを接続し、製品本体部３に外部電源からの電力を供給するために用いられるものである。更に言えば、図２及び図３の電気コード３０は、家庭用電気機械器具（家電製品）の電源線であって、当該製品本体部３に付属する純正部品である。純正部品とは、当該家電製品を製造販売するメーカー自身が責任を持って自ら作っているもの、又は、当該製品メーカーが部品製造会社に指示して作らせたものを指し、製造段階で製品本体部３に組みつけられるものを指す。
【００２７】
電気コード３０は、コード部３１（図４参照）と、差込プラグ部３２とを有している。コード部３１は、断面視、長方形形状であって、導線３１１の周囲が絶縁層３１２で被覆された二重構造を有し、長手方向Ｌの一端が製品本体部３と電気的に接続されている。絶縁層３１２は、ＰＶＣ（塩化ビニル樹脂）やＡＢＳ樹脂など周知の絶縁材料によって構成されている。
【００２８】
差込プラグ部３２は、電源コンセントに接続される接続具として用いられるものであって、本体部３２０と、一対の接続端子板３２１、３２２とを有し、コード部３１の長手方向Ｌの他端に取り付けられている。本体部３２０は、絶縁層３１２と同じ絶縁材料により構成されており、コード部３１の延びる方向（長手方向Ｌ）に差込端面３２３を有している。
【００２９】
一対の接続端子板３２１、３２２は、所謂プラグ板であって、一端が本体部３２０に埋設されており、他端が差込端面３２３から長手方向Ｌに突出している。一対の接続端子板３２１、３２２は、本体部３２０の内部の電気配線を通じて、導線３１１と電気的に接続されている。
【００３０】
図２及び図３の保護具１は、電気コード３０における破損防止箇所に応じて、コード保護部材１０と、プラグ保護部材２０との別部材で構成され、コード保護部材１０と、プラグ保護部材２０との組み合わせによって構成されている。
【００３１】
コード保護部材１０は、図１を参照して説明した保護具であるから詳細は省略する。コード保護部材１０と、電気コード３０との組み合わせについて、図４を参照すると、コード部３１は、貫通孔１２に挿通され、挿通された状態で、断面でみたコード部３１の４角が内面１４に接触して支持されており、且、外面３１０を構成する各辺と、内面１４との間に隙間４が形成されている。
【００３２】
隙間４は、貫通孔１２の開孔形状と、コード部３１の断面形状との形状差に応じて構成される。違う観点から表現すれば、貫通孔１２の内寸法Ｄ１は、コード部３１において対角線上に現れる最大差し渡し寸法（外寸法Ｄ２）より小さいか、少なくとも外寸法Ｄ２以下の値に設定され、且、外面３１０の長辺間に現れる最小差し渡し寸法（外寸法Ｄ３）、同短辺間に現れる外寸法Ｄ４よりも大きい値に設定されている。この構造により、コード保護部材１０は、コード部３１が貫通孔１２に圧入された状態で長手方向Ｌに摺動可能に取り付けられ、且、コード部３１を中心として周方向に摺動可能に取り付けられる。
【００３３】
再び図２乃至図６を参照して説明する。コード保護部材１０は、複数がコード部３１の全長にわたって連続して取り付けられ、コード部３１上において、所謂数珠繋ぎ状に掛け止められている。コード部３１の全長とは、コード部３１において、差込プラグ部３２の基部から製品本体部３までの間に現れる部分を言う。
【００３４】
次に、プラグ保護部材２０は、基体部２１と、収納空間２２と、開口部２３と、凹状部２４と、凹状部２５と、凹状部２６と、コード挿通孔２７を有し、コード部３１の端部に取り付けられている。
【００３５】
基体部２１は、有底箱状であって、基体部１１と同じ材料により構成することができる。基体部２１は、内部に差込プラグ部３２を収納するための収納空間２２を有している。収納空間２２は、基体部２１の４つの内部側面２１１と、１つの内部底面２１２によって画定され、差込プラグ部３２を収納可能な容積を有している。
【００３６】
開口部２３は、内部底面２１２とは反対側の面に設けられ、収納空間２２に開口している。開口部２３は、正面からみて差込端面３２３に追従した形状を有している（図５参照）。
【００３７】
凹状部２４、２５は、外部側面２１３において、相対向する位置に形成されている。凹状部２４、２５は、差込プラグ部３２を電源コンセントに抜き差し操作する際、使用者が指をかけるための窪みである。
【００３８】
凹状部２６は、基体部２１の外面において、開口部２３とは反対側の外部底面２１４に設けられており、コード保護部材１０の外面形状に即した曲面を有し、コード保護部材１０の退避空間を構成している。コード挿通孔２７は、凹状部２６の面内に開口し、基体部２１を外部底面２１４から内部底面２１２に貫通し、収納空間２２に通じている。コード挿通孔２７は、プラグ保護部材２０を差込プラグ部３２に取り付けるに当たり、差込プラグ部３２に繋がるコード部３１を挿通するために用いられる。
【００３９】
プラグ保護部材２０と、電気コード３０との組み合わせについて、図３、図５を参照すると、差込プラグ部３２は、本体部３２０が収納空間２２に収納され、収納された状態で、一対の接続端子板３２１、３２２が開口部２３から突出し、且、差込端面３２３が開口部２３の開口端縁２３０から凹段状に後退し、差込端面３２３と、開口端縁２３０との間に空間２８が形成される。違う言葉で表現すれば、差込プラグ部３２は、プラグ保護部材２０に収納された状態で、開口部２３の面内において、差込端面３２３に相当する部分が長手方向Ｌに後退し、後退した分の高低差又は前後差（２８）に応じた凹段部が形成されている。
【００４０】
差込プラグ部３２は、収納空間２２に収納された状態で、本体部３２０の側面が内部側面２１１によって支持されており、且、本体部３２０の底面が内部底面２１２によって支持されている。ここで、内部底面２１２は、開口部２３の反対側に設けられているから、開口部２３から内部底面２１２までの距離Ｌ２２を予め適宜設定することにより、距離Ｌ２２から本体部３２０の長さを差し引いた分だけ、空間２８が形成されることとなる。
【００４１】
ところで、近年、電気コード３０の誤使用を出火原因とする火災発生件数の増加が注目されている。すなわち、家電製品の普及によって、剥き出しのまま床面上に放置される電気コード３０が増えた分だけ、電気コード３０が、椅子や箪笥など家具の下敷きにされたり、鋭角に曲げられる等の不適切な使われ方（誤使用）をされる危険が高まる。この電気コード３０の誤使用によって、導線３１１が破損された場合、破損箇所が異常発熱して焼損し、最悪の場合には発火にいたることとなる。また、誤使用によって導線３１１の破損すると、隣接する導線３１１同士が接触して短絡事故が発生する。短絡事故が発生すると過大電流が流れ、製品本体部３に収納されている電子部品が誤作動、又は、故障するとともに、製品本体部３から発火することがある。
【００４２】
上述した電気コード３０の誤使用による発火の問題に対して、従来技術では解決することができない。例えば、実開平０７−００１８１８号公報（特許文献１）記載の室内アクセサリーを用いる場合、電気コード３０は中間部分で束ねられるから、該束ねた箇所の導線３１１が破損する危険がある。また、電気コード３０は、定格電流以内で適正に使用されている場合でも多少発熱しているところ、束ねられると放熱の効率が低下し、発火にいたる危険がある。そもそも、特許文献１の室内アクセサリーは、電気コード３０の長さを調節するために用いられるものであって、電気コード３０を全長にわたって収納することはできないから、収納されずに容器外に残されている部分では、依然として誤使用の危険が生じる。
【００４３】
これに対し、図１乃至図５を参照して説明した保護具１、及び、これを用いた電気機械器具の構造によると、以下の作用効果を奏することができる。まず、保護具１を構成するコード保護部材１０において、貫通孔１２は基体部１１を貫通しているから、コード部３１を貫通孔１２に挿通することにより、基体部１１をコード部３１に掛け止めることができる。この構造によると、電気コード３０は、コード部３１が貫通孔１２に挿通されている状態で、当該挿入されている部分のコード部３１が、基体部１１によって、外部からの押し圧力や物理的な衝撃、折り曲げ等から保護される。すなわち、コード保護部材１０は、少なくとも貫通孔１２に挿通されている部分では、コード部３１の誤使用が物理的に規制される。従って、コード保護部材１０によると、家電製品の安全な使用を促し、電気コード３０の誤使用による発火を防止することができる。
【００４４】
また、基体部１１を、球状など曲面を有する立体構造体とすることにより、椅子や箪笥など家具が乗り難くなるから、コード部３１の誤使用を物理的に規制することができる。
【００４５】
しかも、コード保護部材１０は、複数がコード部３１の全長にわたって連続して取り付けられるから、コード部３１の全長にわたって上述した誤使用を規制することができる。
【００４６】
貫通孔１２は、断面でみてコード部３１の断面形状とは異なる孔形状を有し、貫通孔１２にコード部３１が挿通された状態で、コード部３１の周囲に、貫通孔１２とコード部３１との断面形状差に応じた隙間４が形成されている。この構成によると、使用時に電気コード３０に生じる熱を、隙間４によって効率よく排熱することができるから、家電製品の安全な使用を実現することができる。
【００４７】
貫通孔１２の内寸法Ｄ１は、コード部３１の最大外寸法Ｄ２以下であって、且、最小外寸法Ｄ３、外寸法Ｄ４よりも大きい値に設定されるから、貫通孔１２に対してコード部３１を容易に挿通させることができる。
【００４８】
コード保護部材１０は、コード部３１に対して長手方向Ｌに摺動可能に取り付けられ、且、コード部３１を中心として周方向に摺動可能に取り付けられている。この構造によると、コード保護部材１０が装着された状態で床面上に配置された電気コード３０が、使用者などに踏まれたとしても、踏圧力に応じて加圧された方向にコード保護部材１０が適宜摺動することにより、踏圧力がコード部３１に伝達されることを回避することができる。
【００４９】
上述したように、コード保護部材１０は、貫通孔１２と電気コード３０との組み合わせ面の構造に特徴の一つがある。換言すれば、コード保護部材１０は、基体部１１の内面１４によって画定される貫通孔１２の開孔形状に特徴の一つがあり、基体部１１の外形形状は自由に設定することができる。その結果、基体部１１に対してインテリアの美観に即した外形形状、模様、色彩などを付加することにより、上述した電気コード３０の誤使用規制効果に加えて、優れた装飾効果を付加することができる。例えば、基体部１１に蓄光顔料を混合することにより、夜間の消灯時に発光させ、暗所における電気コード３０の視認性を向上させることもできる。
【００５０】
ところで、この種の電気コード３０に起因する出火原因について、コード部３１の誤使用に並び、トラッキング現象によるものが知られている。すなわち、電源コンセントに対して、長期間、差込プラグ部３２を差込んだままにすると、電源コンセントと差込プラグ部３２との間に徐々に塵埃が堆積する。この堆積した塵埃が湿気を帯びることにより、一対の接続端子板３２１、３２２の間で火花放電が発生し、焦げた塵埃によって炭化電路（トラック）が形成される。このトラックができる現象をトラッキング現象といい、トラックを放置していると、一対の接続端子板３２１、３２２の間の絶縁が失われ、出火することとなる。特に電源コンセント５に対する差込プラグ部３２の差込姿勢が不適切な場合、接触不良による発熱との相乗効果でトラッキング現象の発生の確率が一段と高くなる。
【００５１】
図２乃至図５の保護具１は、上述したトラッキング現象による火災を防止するため、プラグ保護部材２０を有している。プラグ保護部材２０と、電気コード３０との組み合わせについて、差込プラグ部３２は、収納空間２２に収納された状態で、開口部２３の面内の差込端面３２３に相当する部分に空間２８が形成されている。この構成によると、図６に示すように、差込プラグ部３２を電源コンセント５に差し込んだ状態で、電源コンセント５と差込端面３２３との相対向する部分に空間２８が形成され、この空間２８が、開口部２３を構成する立ち上がり壁部分によって覆われるから、電源コンセント５と差込プラグ部３２との隙間に塵埃が溜まる不具合が回避される。従って、トラッキング現象の発生を防止し、家電製品の安全な使用を実現することができる。
【００５２】
また、差込プラグ部３２を電源コンセント５に差込むにあたり、開口端縁２３０が電源コンセント５の面に対して垂直に当たるか否かの指先感覚によって、差込プラグ部３２の差込姿勢の適否を触知することができる。すなわち、プラグ保護部材２０において、差込端面３２３よりも、開口端縁２３０が突出している構成により、開口端縁２３０が差込プラグ部３２の差込操作に係るガイドとして機能する。しかも、差込プラグ部３２は、収納空間２２に収納された状態で、内部側面２１１、及び、内部底面２１２によって支持されているから、電源コンセント５に対する差込プラグ部３２の差込姿勢が不適切なことに起因して発生する火災の危険を回避することができる。
【００５３】
凹状部２６は、外部底面２１４に設けられており、コード保護部材１０の外面形状に即した曲面を有し、コード保護部材１０の退避空間を構成している。コード挿通孔２７は、凹状部２６の面内に開口し、収納空間２２に通じており、プラグ保護部材２０を差込プラグ部３２に取り付けるに当たり、コード部３１を挿通するために用いられる。この構成によるとプラグ保護部材２０を差込プラグ部３２に取り付けることができるとともに、取り付けられた状態で、プラグ保護部材２０と、コード保護部材１０とが衝突する不具合を回避することができる。従って、プラグ保護部材２０と、コード保護部材１０との接続部分で、電気コード３０の誤使用の不具合が生じる危険を回避することができる。
【００５４】
図７は、本発明のもう一つの実施形態に係る電気機械器具の断面図である。図７の実施形態は、コード保護部材１０と電気コード３０との組み合わせ構造が、図１乃至図６とは異なる点に特徴がある。以下、図７の実施形態について、相違点を中心に説明する。
【００５５】
図７を参照すると、貫通孔１２の開孔形状は、貫通方向に垂直に交わる面で切断した場合に現れる断面でみて、正方形形状となっており、対角線上に現れる最大差し渡し寸法（内寸法Ｄ５）を有し、各辺間に現れる差し渡し寸法（内寸法Ｄ６）を有している。一方、コード部３１は、断面視、円形形状であって、直径に相当する部分に外寸法Ｄ７を有している。貫通孔１２は、内寸法Ｄ５が外寸法Ｄ７より大きい値に設定され、且、内寸法Ｄ６が外寸法Ｄ７より小さいか、少なくとも外寸法Ｄ７以下の値に設定されている。
【００５６】
コード保護部材１０と、電気コード３０との組み合わせについて、コード部３１は貫通孔１２に挿通され、挿通された状態で、コード部３１の外面３１０が貫通孔１２を画定する内面１４に接触して支持されており、且、外面３１０と、貫通孔１２の角部を構成する内面１４との間に隙間４が形成されている。
【００５７】
図７の構成によっても、図１乃至図６を参照して説明した利点を全て有することができる。例えば、コード部３１を貫通孔１２に挿通することにより、コード保護部材１０をコード部３１に掛け止めることができるから、貫通孔１２に挿通されている部分のコード部３１の誤使用を物理的に規制することができる。
【００５８】
コード保護部材１０は、貫通孔１２とコード部３１との断面形状差により隙間４を形成することができるから、使用時に電気コード３０に生じる熱を、隙間４によって効率よく排熱することができる。
【００５９】
図１乃至図６を参照して説明したように、貫通孔１２の開孔形状（及び内寸法）は、コード部３１の断面形状（及びコード部の外寸法）との相対関係によって決定されるものであり、更にいえば、組み合わされるコード部３１との断面形状差に基づいて隙間４を形成しうる範囲で様々な組み合わせパターンを取ることができる。
【００６０】
図８は本発明のもう一つの実施形態に係る保護具１の断面図である。図８の実施形態は、図１乃至図７を参照して説明したコード保護部材１０の変形例の一つであって、コード保護部材１０の構造が、図１乃至図７とは異なる点に特徴がある。以下、図８の実施形態について、相違点を中心に説明する。
【００６１】
図８のコード保護部材１０を構成する基体部１１は、３つの膨張部１５と、２つのくびれ部１６で構成されており、３つの膨張部１５は一体的に形成されている。違う言葉で表現すれば、コード保護部材１０は、長手方向Ｌを有する筒状の基体部１１において、その長手方向Ｌの中間部分に、間隔を隔てて２つのくびれ部１６を形成することにより、外面１３上に、２つのくびれ部１６によって画定された３つの膨張部１５を構成することができる。
【００６２】
貫通孔１２は、基体部１１を一方向に貫通し、長手方向Ｌの両端において外面に開口している。膨張部１５のそれぞれが、図１乃至図８のコード保護部材１０と同じ寸法で構成されている場合、図９の貫通孔１２の貫通距離は、図１乃至図８の貫通孔１２の貫通距離が３倍に延長される。
【００６３】
更に基体部１１には、排熱孔１７が設けられている。排熱孔１７は、貫通孔１２の貫通方向Ｌに交差する方向Ｔに沿って基体部１１を貫通し、一端が貫通孔１２に開口し、他端が外面１３に開口している。
【００６４】
図８の実施形態によっても、図１乃至図７を参照して説明した保護具１、及び、これを用いた電気機械器具の利点を全て有することができる。さらに図８のコード保護部材１０によると、例えば膨張部１５のそれぞれが、図１乃至図７のコード保護部材１０と同等の大きさである場合、貫通孔１２の貫通距離が３倍に延長されることとなるから、貫通孔１２の貫通距離が長くなった分だけ、貫通孔１２に挿通されるコード部３１の長さが長くなる。従って、コード部３１の誤使用抑止効果が高まる。
【００６５】
また、図８のコード保護部材１０によると、図１乃至図７のコード保護部材１０と比べて、コード部３１を貫通孔１２に挿通する作業が簡単になる。
【００６６】
他方、貫通孔１２の貫通距離が長くなると、その分だけ、コード部３１から発せられる熱の排熱効率が低下する恐れがある。すなわち、図１乃至図７のコード保護部材１０では、コード部３１から発せられる熱は、貫通孔１２の両端の開孔端から外部に排出されるのに対し、図８のコード保護部材１０では、貫通孔１２の貫通距離が長い分だけ、コード部３１から発せられる熱が貫通孔１２の内部にこもり、異常発熱を引き起こす怖れがある。そこで、図８のコード保護部材１０は、排熱孔１７を有している。この構造によると、貫通孔１２の内部の熱は、貫通孔１２の開孔端以外に、排熱孔１７を通じても排熱されるから、上述した排熱効率の問題を解消することができる。
【００６７】
本発明に係るコード保護部材１０は、貫通孔１２の構造に特徴の一つがあり、基体部１１の外形形状は自由に設定することができる。例えば、基体部１１は、図１乃至図８に示した球状に限らず楕円形状や筒状であってもよいし、図８の膨張部１５の数を適宜増減させることも可能である。
【００６８】
図９は本発明の更にもう一つの実施形態に係る電気機械器具の平面図である。図９の実施形態は、図１乃至図８を参照して説明した電気機械器具の変形例の一つであって、複数のコード保護部材１０が互いに異なる色彩を有している点、コード保護部材１０の外形形状が平面視ハート形となっている点、及び、電気機械器具が所謂テーブルタップであって、電気コード３０は、コード部３１の一端に差込プラグ部３２を有し、コード部３１の他端にコンセント部３３を有する点に特徴がある。
【００６９】
図９の実施形態によっても、図１乃至図８を参照して説明した保護具１、及び、これを用いた電気機械器具の利点を全て奏することができる。
【００７０】
以上、好ましい実施例を参照して本発明の内容を具体的に説明したが、本発明の基本的技術思想及び教示に基づいて、当業者であれば、種種の変形態様を採り得ることは自明である。例えば、本発明に係る保護具を構成するコード保護部材について、図２乃至図７、図９には電源線（電源ケーブル）に用いた場合の実施形態が示されているが、破損等の誤使用を回避するという同一の観点から、ＬＡＮ（local area network）ケーブル等の通信回線にも用いることができることは自明である。
【符号の説明】
【００７１】
１              保護具
１０            コード保護部材
１１            基体部
１２            貫通孔
３０            電気コード
４              隙間
【図１】
2012060808.tif 000003
【図２】
2012060808.tif 000004
【図３】
2012060808.tif 000005
【図４】
2012060808.tif 000006
【図５】
2012060808.tif 000007
【図６】
2012060808.tif 000008
【図７】
2012060808.tif 000009
【図８】
2012060808.tif 000010
【図９】
2012060808.tif 000011